(57)【特許請求の範囲】
【請求項１】
プレス成形品であり、位置決め穴を有する筐体と、
位置決め突起を有し、前記位置決め突起が前記位置決め穴に挿入され、前記筐体の内側に位置決めされた状態で組み付けられている第一組付体と、
前記筐体の平面視で前記第一組付体と並んで配置されると共に、係合部を有し、前記係合部が前記第一組付体に形成された被係合部と係合され、前記第一組付体に位置決めされた状態で前記筐体の内側に組み付けられている第二組付体と、
前記位置決め突起の先端に設けられ、前記位置決め穴から突出する緩衝部と、
を備えた電子機器。
【請求項２】
前記被係合部及び前記係合部は、それぞれ前記第一組付体及び前記第二組付体における横方向の両側の部位に設けられ、
一対の前記被係合部のいずれか、又は、一対の前記係合部のいずれかは、前記横方向に延びる長穴状に形成されている、
請求項１に記載の電子機器。
【請求項３】
前記第一組付体は、キーボードユニットを有するキーボードアッセンブリとされている、
請求項１又は請求項２に記載の電子機器。
【請求項４】
前記位置決め突起は、前記キーボードアッセンブリにおける複数のキーよりも横方向両側の部位にそれぞれ設けられている、
請求項３に記載の電子機器。
【発明の詳細な説明】
【技術分野】
【０００１】
本願の開示する技術は、電子機器に関する。
【背景技術】
【０００２】
従来、筐体と、この筐体の内側に位置決めされた状態で組み付けられた組付体とを備えた機器が知られている。
【先行技術文献】
【特許文献】
【０００３】
【特許文献１】実開昭６１−５３８３０号公報
【特許文献２】特開平５−１１８２９３号公報
【特許文献３】実開平４−８５２９０号公報
【発明の概要】
【発明が解決しようとする課題】
【０００４】
しかしながら、このような機器において、筐体と組付体との位置決めに治具を用いると、コストアップとなる。
【０００５】
そこで、本願の開示する技術は、一つの側面として、治具を用いずに筐体と組付体との組付を行うことができる電子機器を提供することを目的とする。
【課題を解決するための手段】
【０００６】
上記目的を達成するために、本願の開示する技術によれば、筐体と、第一組付体と、第二組付体とを備えた電子機器が提供される。筐体は、プレス成形品であり、位置決め穴を有している。第一組付体は、位置決め突起を有している。第二組付体は、筐体の平面視で第一組付体と並んで配置される。また、第二組付体は、係合部を有しており、第一組付体には、被係合部が形成されている。そして、第一組付体は、位置決め突起が位置決め穴に挿入されることにより筐体の内側に位置決めされた状態で組み付けられている。また、第二組付体は、係合部が被係合部と係合されることにより第一組付体に位置決めされた状態で筐体の内側に組み付けられている。位置決め突起の先端には、位置決め穴から突出する緩衝部が設けられている。
【発明の効果】
【０００７】
本願の開示する技術によれば、治具を用いずに筐体と組付体との組付を行うことができる。
【図面の簡単な説明】
【０００８】
【図１】電子機器の斜視図である。
【図２】アッパーカバーアッセンブリの斜視図である。
【図３】アッパーカバーアッセンブリの分解斜視図である。
【図４】アッパーカバーの斜視図である。
【図５】図４の要部拡大図である。
【図６】キーボードアッセンブリの斜視図である。
【図７】図６の要部拡大図である。
【図８】アッパーカバーにキーボードアッセンブリを組み付けた状態を示す要部拡大図である。
【図９】キーボードアッセンブリの要部拡大図である。
【図１０】内部構造部品の斜視図である。
【図１１】キーボードアッセンブリに内部構造部品を組み付けた状態を示す要部拡大図である。
【図１２】キーボードアッセンブリの要部拡大図である。
【図１３】他の内部構造部品の要部拡大図である。
【図１４】キーボードアッセンブリに他の内部構造部品を組み付けた状態を示す要部拡大図である。
【図１５】キーボードアッセンブリに他の内部構造部品を組み付けた状態を示す要部拡大図である。
【図１６】位置決め突起の変形例を示す要部拡大図である。
【発明を実施するための形態】
【０００９】
以下、図面を参照しながら、本願の開示する技術の一実施形態を説明する。
【００１０】
なお、各図面において示される矢印Ｘ、矢印Ｙ、矢印Ｚは、電子機器１０に向かって左側、電子機器１０の手前側（操作者側）、電子機器１０の上側をそれぞれ示している。
【００１１】
図１に示されるように、本実施形態に係る電子機器１０は、一例として、ノート型のパーソナルコンピュータとされている。この電子機器１０は、モニタ１２を有する表示部１４と、後述するキーボードユニット６２を有する本体部１６とを備えている。
【００１２】
表示部１４は、本体部１６の後壁部１８に図示しないヒンジを介して回動可能に取り付けられている。そして、この表示部は、本体部１６に対して起立された展開状態と、本体部１６に重ね合わされるように倒伏された収納状態とを取り得るようになっている。図１では、表示部１４が展開状態で示されている。
【００１３】
本体部１６は、アッパーカバーアッセンブリ２０と、ロアカバー２２とを備えている。このアッパーカバーアッセンブリ２０とロアカバー２２との間に形成された空間部には、上述のモニタ１２を駆動させるための電子回路や、バッテリ、記憶装置（いずれも不図示）などの機器が収容されている。
【００１４】
アッパーカバーアッセンブリ２０は、図２，図３に示されるように、金属製のアッパーカバー３０と、樹脂製の複数の内部構造部品４０，５０，６１と、キーボードユニット６２とを備えている。
【００１５】
アッパーカバー３０は、筐体の一例であり、プレス成形により形成されている。このアッパーカバー３０には、図３，図４に示されるように、後述する複数のキー６３を露出させるための複数の開口３１や、図示しないタッチパッド等を露出させるための開口３２等が形成されている。複数の開口３１は、複数のキー６３の各々に対応する大きさで形成されている。また、このアッパーカバー３０は、平面視にて長方形に形成されており、その周囲には、側壁部３３が形成されている。
【００１６】
さらに、このアッパーカバー３０の横方向両側の縦縁部には、位置決め穴３４がそれぞれ形成されている。この位置決め穴３４は、アッパーカバー３０の縦方向に延びる長穴状に形成されている。また、この位置決め穴３４は、アッパーカバー３０のプレス成形時に形成されたものであり、その周囲には、図５に示されるように、バーリング加工によりアッパーカバー３０の内側に突出する立ち壁３６が形成されている。
【００１７】
内部構造部品６１は、図６に示されるように、複数のキー６３を有するキーボードユニット６２に例えば溶着等により一体に組み付けられている。この内部構造部品６１は、キーボードユニット６２と共にキーボードアッセンブリ６０を形成している。キーボードアッセンブリ６０は、第一組付体の一例である。
【００１８】
このキーボードアッセンブリ６０には、図６，図７に示されるように、上述の位置決め穴３４と対応する位置に位置決め突起６４が形成されている。この位置決め突起６４は、内部構造部品６１に一体に形成されており、キーボードアッセンブリ６０における複数のキー６３よりも横方向両側の部位にそれぞれ設けられている。この位置決め突起６４は、図８に示されるように、上述の位置決め穴３４に係合されるものであり、この位置決め穴３４と同様に、キーボードアッセンブリ６０の縦方向を長手方向として形成されている。
【００１９】
また、図２，図３に示されるように、このキーボードアッセンブリ６０は、後述する内部構造部品４０，５０に対してアッパーカバー３０の縦方向にずれて配置されている。つまり、このキーボードアッセンブリ６０は、アッパーカバー３０の縦方向における内部構造部品４０と内部構造部品５０との間に配置されている。内部構造部品４０及び内部構造部品５０は、それぞれ第二組付体の一例である。
【００２０】
そして、このキーボードアッセンブリ６０における内部構造部品４０側の縁部には、内部構造部品４０側に延出する一対の延出部６５Ａ，６５Ｂ（図９参照）が形成されている。この図９に示されるように、この一対の延出部６５Ａ，６５Ｂは、内部構造部品６１に一体に形成されており、キーボードアッセンブリ６０における横方向の両側の部位にそれぞれ設けられている。この一対の延出部６５Ａ，６５Ｂの先端には、断面円形状の係合突起６６Ａ，６６Ｂがそれぞれ形成されている。この係合突起６６Ａ，６６Ｂは、被係合部の一例である。
【００２１】
図１０に示されるように、内部構造部品４０は、図示しないスイッチや、スピーカ等の機能部品を保持するための複数の保持部４２を有している。また、この内部構造部品４０には、上述の係合突起６６Ａ，６６Ｂと対応する位置に係合穴４６Ａ，４６Ｂがそれぞれ形成されている。つまり、この係合穴４６Ａ，４６Ｂは、内部構造部品４０における横方向の両側の部位に設けられている。この一対の係合穴４６Ａ，４６Ｂは、それぞれ係合部の一例である。
【００２２】
図１１に示されるように、一方の係合穴４６Ａは、断面円形状に形成されており、係合突起６６Ａと係合される。一方、他方の係合穴４６Ｂは、内部構造部品４０の横方向に延びる長穴状に形成されており、係合突起６６Ｂと係合される。
【００２３】
また、図１２，図１５に示されるように、上述のキーボードアッセンブリ６０における内部構造部品５０側の縁部には、内部構造部品５０側に延出する一対の延出部６７Ａ，６７Ｂが形成されている。この一対の延出部６７Ａ，６７Ｂは、内部構造部品６１に一体に形成されており、キーボードアッセンブリ６０における横方向の両側の部位にそれぞれ設けられている。この一対の延出部６７Ａ，６７Ｂの先端には、断面円形状の係合突起６８Ａ，６８Ｂがそれぞれ形成されている。この係合突起６８Ａ，６８Ｂは、被係合部の一例である。
【００２４】
図１３〜図１５に示される内部構造部品５０は、例えばタッチパッド等の機能部品を保持するための複数の保持部（いずれも不図示）を有している。この内部構造部品５０には、上述の係合突起６８Ａ，６８Ｂと対応する位置に係合穴５８Ａ，５８Ｂがそれぞれ形成されている。つまり、この係合穴５８Ａ，５８Ｂは、内部構造部品５０における横方向の両側の部位に設けられている。この一対の係合穴５８Ａ，５８Ｂは、それぞれ係合部の一例である。
【００２５】
図１３，図１４に示されるように、一方の係合穴５８Ａは、断面円形状に形成されており、係合突起６８Ａと係合される。一方、図１５に示されるように、他方の係合穴５８Ｂは、内部構造部品５０の横方向に延びる長穴状に形成されており、係合突起６８Ｂと係合される。
【００２６】
そして、このアッパーカバーアッセンブリ２０では、図８に示されるように、位置決め突起６４が位置決め穴３４に挿入されることにより、キーボードアッセンブリ６０は、アッパーカバー３０に位置決めされている。また、このキーボードアッセンブリ６０は、このようにアッパーカバー３０に位置決めされた状態で、図示しない固定部材等によりアッパーカバー３０の内側に組み付けられている。
【００２７】
また、内部構造部品４０は、図１１に示されるように、一対の係合穴４６Ａ，４６Ｂに係合突起６６Ａ，６６Ｂがそれぞれ係合されることにより、キーボードアッセンブリ６０に位置決めされている。また、この内部構造部品４０は、このようにキーボードアッセンブリ６０に位置決めされた状態で、図示しない固定部材等によりアッパーカバー３０の内側に組み付けられている。
【００２８】
同様に、内部構造部品５０は、図１４，図１５に示されるように、一対の係合穴５８Ａ，５８Ｂに係合突起６８Ａ，６８Ｂがそれぞれ係合されることにより、キーボードアッセンブリ６０に位置決めされている。また、この内部構造部品５０は、このようにキーボードアッセンブリ６０に位置決めされた状態で、図示しない固定部材等によりアッパーカバー３０の内側に組み付けられている。
【００２９】
さらに、図８に示されるように、位置決め突起６４の先端には、例えばゴム等の弾性材で形成された緩衝部６９が取り付けられている。この緩衝部６９は、位置決め穴３４からアッパーカバー３０の表側に突出されている。そして、この緩衝部６９は、上述の表示部１４が本体部１６に重ね合わされるように倒伏された収納状態とされた場合に、この表示部１４に押圧される。この緩衝部６９は、上述の位置決め穴３４と略同じ大きさ及び形状で形成されている。
【００３０】
次に、本実施形態の作用及び効果について説明する。
【００３１】
以上詳述したように、本実施形態では、プレス成形により形成されたアッパーカバー３０に位置決め穴３４が形成されており、キーボードアッセンブリ６０には、位置決め突起６４が形成されている。そして、この位置決め穴３４に位置決め突起６４が挿入されることにより、キーボードアッセンブリ６０は、アッパーカバー３０の内側に位置決めされた状態で組み付けられている。
【００３２】
また、キーボードアッセンブリ６０には、係合突起６６Ａ，６６Ｂ及び係合突起６８Ａ，６８Ｂが形成されており、内部構造部品４０，５０には、係合穴４６Ａ，４６Ｂ及び係合穴５８Ａ，５８Ｂがそれぞれ形成されている。そして、係合突起６６Ａ，６６Ｂが係合穴４６Ａ，４６Ｂに係合されることにより、内部構造部品４０は、キーボードアッセンブリ６０に位置決めされた状態でアッパーカバー３０の内側に組み付けられている。同様に、係合突起６８Ａ，６８Ｂが係合穴５８Ａ，５８Ｂに係合されることにより、内部構造部品５０は、キーボードアッセンブリ６０に位置決めされた状態でアッパーカバー３０の内側に組み付けられている。
【００３３】
このように、本実施形態によれば、治具を用いずに、キーボードアッセンブリ６０及び内部構造部品４０，５０をアッパーカバー３０に位置決めした状態で組み付けることができる。これにより、治具の費用を抑えることができるので、コストダウンすることができる。また、治具をセットする工数も削減することができるので、このことによっても、コストダウンすることができる。
【００３４】
また、キーボードアッセンブリ６０とアッパーカバー３０との位置決めのために用いる位置決め穴３４として、緩衝部６９を取り付けるための取付穴を利用している。これにより、アッパーカバー３０の構造を簡素化することができると共に、アッパーカバー３０の見栄えを確保することができる。
【００３５】
また、位置決め穴３４の周囲には、バーリング加工によりアッパーカバー３０の内側に突出する立ち壁３６が形成されている。従って、位置決め穴３４の高さ方向の寸法を確保することができるので、位置決め穴３４と位置決め突起６４との位置決め精度を向上させることができる。
【００３６】
また、係合突起６６Ａ，６６Ｂ及び係合穴４６Ａ，４６Ｂは、キーボードアッセンブリ６０及び内部構造部品４０における横方向の両側の部位に設けられている。また、一対の係合穴４６Ａ，４６Ｂのうち係合穴４６Ｂは、内部構造部品４０の横方向に延びる長穴状に形成されている。従って、一対の係合突起６６Ａ，６６Ｂ間の寸法誤差を吸収しつつ、係合突起６６Ａ，６６Ｂと係合穴４６Ａ，４６Ｂとを係合させることができる。
【００３７】
同様に、係合突起６８Ａ，６８Ｂ及び係合穴５８Ａ，５８Ｂは、キーボードアッセンブリ６０及び内部構造部品５０における横方向の両側の部位に設けられている。また、一対の係合穴５８Ａ，５８Ｂのうち係合穴５８Ｂは、内部構造部品５０の横方向に延びる長穴状に形成されている。従って、一対の係合突起６８Ａ，６８Ｂ間の寸法誤差を吸収しつつ、係合突起６８Ａ，６８Ｂと係合穴５８Ａ，５８Ｂとを係合させることができる。
【００３８】
また、位置決め突起６４及び位置決め穴３４により、キーボードアッセンブリ６０が内部構造部品４０，５０よりも先にアッパーカバー３０に位置決めされる。従って、キーボードアッセンブリ６０とアッパーカバー３０との位置精度、ひいては、複数のキー６３と複数の開口３１との位置精度を確保することができる。
【００３９】
特に、位置決め突起６４は、キーボードアッセンブリ６０における複数のキー６３よりも横方向両側の部位にそれぞれ設けられているので、複数のキー６３と複数の開口３１との位置精度を向上させることができる。
【００４０】
次に、本実施形態の変形例について説明する。
【００４１】
上記実施形態において、電子機器１０は、ノート型のパーソナルコンピュータとされていたが、その他の電子機器とされていても良い。
【００４２】
また、上記実施形態では、キーボードアッセンブリ６０が先ずアッパーカバー３０の内側に位置決めされた状態で組み付けられ、その後、内部構造部品４０，５０がキーボードアッセンブリ６０に位置決めされた状態でアッパーカバー３０の内側に組み付けていた。ところが、内部構造部品４０，５０が先ずアッパーカバー３０の内側に位置決めされた状態で組み付けられ、その後、キーボードアッセンブリ６０が内部構造部品４０，５０に位置決めされた状態でアッパーカバー３０の内側に組み付けられても良い。
【００４３】
なお、この場合には、内部構造部品４０，５０が第一組付体の一例とされ、キーボードアッセンブリ６０が第二組付体の一例とされる。また、この場合には、内部構造部品４０及び内部構造部品５０の少なくとも一方に位置決め突起６４が形成される。さらに、この場合には、内部構造部品４０，５０に形成された係合穴４６Ａ，４６Ｂ，５８Ａ，５８Ｂが被係合部の一例とされ、キーボードアッセンブリ６０に形成された係合突起６６Ａ，６６Ｂ，６８Ａ，６８Ｂが係合部の一例とされる。
【００４４】
また、上記実施形態において、電子機器１０は、３つの内部構造部品４０，５０，６１を備えていたが、内部構造部品の数がその他とされていても良い。
【００４５】
また、この電子機器１０においては、アッパーカバー３０が筐体の一例とされ、キーボードアッセンブリ６０が第一組付体の一例とされ、内部構造部品４０，５０が第二組付体の一例とされていた。ところが、その他の部材が筐体、第一組付体、及び、第二組付体とされていても良い。
【００４６】
また、緩衝部６９は、位置決め突起６４と別体とされた上で位置決め突起６４の先端に取り付けられていたが、図１６に示されるように、位置決め突起６４の先端が位置決め穴３４から突出する緩衝部６９として形成されていても良い。つまり、緩衝部６９は、位置決め突起６４に一体に形成されていても良い。
【００４７】
また、上記実施形態では、キーボードアッセンブリ６０に被係合部の一例として係合突起６６Ａ，６６Ｂ，６８Ａ，６８Ｂが形成され、内部構造部品４０，５０に係合部の一例として係合穴４６Ａ，４６Ｂ，５８Ａ，５８Ｂが形成されていた。ところが、その他にも、例えば、キーボードアッセンブリ６０に被係合部の一例として係合穴が形成され、内部構造部品４０，５０に係合部の一例として係合突起が形成されていても良い。また、この場合に、キーボードアッセンブリ６０に形成された一対の係合穴のいずれかがキーボードアッセンブリ６０の横方向に延びる長穴状に形成されていても良い。
【００４８】
なお、上記複数の変形例は、適宜、組み合わされて実施可能である。
【００４９】
次に、上述の本願の開示する技術の一態様に関し、更に以下の付記を開示する。
【００５０】
（付記１）
プレス成形により形成され、位置決め穴を有する筐体と、
前記位置決め穴に挿入されると共に先端に前記位置決め穴から突出する緩衝部を備えた位置決め突起を有し、前記位置決め突起が前記位置決め穴に挿入されることにより前記筐体の内側に位置決めされた状態で組み付けられた第一組付体と、
係合部を有し、前記係合部が前記第一組付体に形成された被係合部と係合されることにより前記第一組付体に位置決めされた状態で前記筐体の内側に組み付けられた第二組付体と、
を備えた電子機器。
【００５１】
（付記２）
前記位置決め穴の周囲には、バーリング加工により前記筐体の内側に突出する立ち壁が形成されている、
付記１に記載の電子機器。
【００５２】
（付記３）
前記被係合部及び前記係合部は、それぞれ前記第一組付体及び前記第二組付体における横方向の両側の部位に設けられ、
一対の前記被係合部のいずれか、又は、一対の前記係合部のいずれかは、前記横方向に延びる長穴状に形成されている、
付記１又は付記２に記載の電子機器。
【００５３】
（付記４）
前記第一組付体は、キーボードユニットを有するキーボードアッセンブリとされている、
付記１〜付記３のいずれか一つに記載の電子機器。
【００５４】
（付記５）
前記位置決め突起は、前記キーボードアッセンブリにおける複数のキーよりも横方向両側の部位にそれぞれ設けられている、
付記４に記載の電子機器。
【００５５】
（付記６）
前記緩衝部は、前記位置決め突起と別体とされて前記位置決め突起の先端に取り付けられている、
付記１〜付記５のいずれか一つに記載の電子機器。
【００５６】
（付記７）
前記電子機器は、モニタを備えた表示部と、キーボードを備えた本体部とを備えたノード型のパーソナルコンピュータとされ、
前記筐体は、前記本体部に設けられたアッパーカバーとされている、
付記１〜付記６のいずれか一つに記載の電子機器。
【００５７】
（付記８）
前記アッパーカバーには、前記キーボードに設けられた複数のキーの各々に対応する大きさで形成され前記複数のキーを露出させる複数の開口が形成されている、
付記７に記載の電子機器。
【符号の説明】
【００５８】
１０  電子機器
２０  アッパーカバーアッセンブリ
３０  アッパーカバー（筐体の一例）
３４  位置決め穴
３６  立ち壁
４０，５０  内部構造部品（第二組付体の一例）
４６Ａ，４６Ｂ，５８Ａ，５８Ｂ  係合穴（係合部の一例）
６０  キーボードアッセンブリ（第一組付体の一例）
６１  内部構造部品
６２  キーボードユニット
６３  キー
６４  位置決め突起
６６Ａ，６６Ｂ，６８Ａ，６８Ｂ  係合突起（被係合部の一例）
６９  緩衝部
【図１】
0006047902.tif 000002
【図２】
0006047902.tif 000003
【図３】
0006047902.tif 000004
【図４】
0006047902.tif 000005
【図５】
0006047902.tif 000006
【図６】
0006047902.tif 000007
【図７】
0006047902.tif 000008
【図８】
0006047902.tif 000009
【図９】
0006047902.tif 000010
【図１０】
0006047902.tif 000011
【図１１】
0006047902.tif 000012
【図１２】
0006047902.tif 000013
【図１３】
0006047902.tif 000014
【図１４】
0006047902.tif 000015
【図１５】
0006047902.tif 000016
【図１６】
0006047902.tif 000017